(57)【要約】本発明は、訓練者が、訓練時に眼の結像調節を簡単に行うことができる視力回復訓練装置を提供することを目的とする。視力回復訓練装置は、表示部材１、光学系２、基台３、筐体４を含む。表示部材１は、訓練用画像の表示を行うものであり、訓練者５の視軸５１に対して略垂直に交差するように基台３に固定される。光学系２は、レンズ２１、送りねじ２２、モータ２３を含む。モータ２３を駆動することにより、送りねじ２２を介してレンズ２１が視軸５１方向に移動する。したがって、光学系２の光学特性が変更され、訓練者５の目位置と表示部材１の光学距離を変更することができる。表示部材１は、訓練者の目位置と表示部材１との間の光学距離に比例した大きさの訓練用画像を表示する。【特許請求の範囲】
【請求項１】
目の結像調節機能の訓練を行う視力回復訓練装置であって、
訓練者の視線方向に対して略垂直に交差して固定配置される表示部材と、
前記訓練者の目位置と前記表示部材の間に配置される光学系と、
前記板状表示部材への訓練用画像の表示を制御する表示制御部と、
前記光学系の光学特性を変更し、前記訓練者の目位置と前記表示部材との間の光学距離を変化させる光学特性変更部と、を備え、
前記表示制御部は、前記訓練者の目位置と前記表示部材との間の光学距離に比例した大きさの前記訓練用画像を、前記表示部材に表示させる視力回復訓練装置。
【請求項２】
請求項１記載の視力回復訓練装置であって、
前記表示制御部は、前記訓練者の目位置と前記表示部材との間の光学距離に比例した大きさで、互いに相似の前記訓練用画像を、前記表示部材に表示させる視力回復訓練装置。
【請求項３】
請求項１又は２記載の視力回復訓練装置であって、
前記光学系は、レンズを含んでおり、
前記光学特性変更部は、前記レンズ位置を移動させる駆動手段を含む視力回復訓練装置。
【請求項４】
請求項１又は２記載の視力回復訓練装置であって、
前記光学系は、バリフォーカルレンズである視力回復訓練装置。
【請求項５】
請求項１ないし４のいずれか１項記載の視力回復訓練装置であって、
前記板状表示部材は、液晶表示パネルである視力回復訓練装置。
【請求項６】
請求項１ないし４のいずれか１項記載の視力回復訓練装置であって、
前記板状表示部材は、基板上に有機ＥＬ素子を形成した有機ＥＬ表示パネルである視力回復訓練装置。
【発明の詳細な説明】
【技術分野】
【０００１】  本発明は、目の結像調節機能の訓練を行う視力回復訓練装置に関する。
【背景技術】
【０００２】  視力の低下は、目の調節筋（毛様体筋）の調節緊張や衰弱によって目の結像調節機能が低下することが一因と考えられ、この筋肉を訓練することによって、視力の回復が期待できる。この方法は、毛様体筋を訓練によって活性化し、遠近調節機能を活発にすることで視力回復をはかるものである。【０００３】  特許文献１には、この調節筋の働きを活発にすることにより視力回復効果を向上させようとする視力回復装置が記載されている。この視力回復装置は、マークが表示された注視板を往復移動させて、マークを使用者に対して近接・離間させるものである。この装置の使用者がこのマークを注視すると、目の焦点が、近距離と遠距離の間を連続して移動するので調節筋が効率よく訓練される。【０００４】  この視力回復装置は、使用者とマークの距離を変化させるため、マークが表示された注視板を移動させるものであるため、機構が複雑で大規模となる。また、可動部を有するため、耐久性及び保守性に欠ける。【０００５】  また、注視板に表示されるマークの大きさが一定であるため、使用者がマークに焦点を合わせ難くなる場合がある。すなわち、使用者とマークとの距離が近くなると、マークの像が使用者の網膜に形成される領域が大きくなり、脳に入力する情報量が増加して、使用者が目の結像調節を簡単に行えなくなる。【０００６】  一方、光学系を利用して訓練者と訓練者が注視する指標との距離を変化させ、小型化を可能としたものも提案されている（特許文献２参照）。【０００７】  特許文献２に記載された視力回復訓練装置は、訓練者と指標が表示される表示パネルとの間に配置される光学系の特性を変化させることにより、訓練者の目の位置と指標との光学距離を変化させるものである。そして、この装置では、訓練者が受ける遠近感を強調するために、光学距離が近い時は、指標の表示をさらに大きくし、遠い時は指標の表示をさらに小さくすることも可能となっている。【０００８】  しかし、指標の遠近感を強調する場合、近視の訓練者は遠い表示の時は焦点があわなくても違和感がなく、遠視の訓練者は近い表示の際に焦点があわなくても違和感がなくなってしまい、指標に焦点を合わせようとしなくなるため、訓練の効果があがらない。また、指標の大きさを一定した場合は、特許文献１に記載されたものと同様、使用者と指標との距離が近くなると、指標の像が使用者の網膜に形成される領域が大きくなり、脳に入力する情報量が増加して、使用者が目の結像調節を簡単に行えなくなる。【０００９】
【特許文献１】特開平６−３３９５０１号公報
【特許文献２】特開平８−２５７０７７号公報
【発明の開示】
【発明が解決しようとする課題】
【００１０】  本発明は、上記事情に鑑みなされたもので、訓練者が、訓練時に眼の結像調節を簡単に行うことができる視力回復訓練装置を提供することを目的とするものである。
【課題を解決するための手段】
【００１１】  本発明の視力回復訓練装置は、目の結像調節機能の訓練を行うものであって、訓練者の視線方向に対して略垂直に交差して固定配置される表示部材と、前記訓練者の目位置と前記表示部材の間に配置される光学系と、前記板状表示部材への訓練用画像の表示を制御する表示制御部と、前記光学系の光学特性を変更し、前記訓練者の目位置と前記表示部材との間の光学距離を変化させる光学特性変更部と、を備え、前記表示制御部は、前記訓練者の目位置と前記表示部材との間の光学距離に比例した大きさの前記訓練用画像を、前記表示部材に表示させるものである。【００１２】  本発明によれば、訓練者の視野に占める訓練用画像の大きさが実質的に変化しないので、目の結像調節機能の制御が簡単になる。【００１３】  本発明の視力回復訓練装置は、前記表示制御部が、前記訓練者の目位置と前記表示部材との間の光学距離に比例した大きさで、互いに相似の前記訓練用画像を、前記表示部材に表示させるものを含む。本発明によれば、訓練者からみえる訓練用画像の大きさ及び形状が実質的に変化しないので、目の結像調節機能の制御が簡単になる。【００１４】  本発明の視力回復訓練装置は、前記光学系が、レンズを含んでおり、前記光学特性変更部が、前記レンズ位置を移動させる駆動手段を含むものを含む。本発明によれば、可動部の移動量が小さくても訓練者の目位置と表示部材との間の光学距離を大きく変化させることができ、小形軽量化が可能となる。【００１５】  本発明の視力回復訓練装置は、前記光学系が、バリフォーカルレンズであるものを含む。本発明によれば、レンズ系の駆動を簡単に行うことができ、さらに、小形軽量化が可能となる。【００１６】  本発明の視力回復訓練装置は、前記板状表示部材が、液晶表示パネルであるものを含む。本発明によれば、訓練用画像の変更が簡単かつ確実に行うことができるとともに、小形軽量化が可能となる。【００１７】  本発明の視力回復訓練装置は、前記板状表示部材が、基板上に有機ＥＬ素子を形成した有機ＥＬ表示パネルであるものを含む。本発明によれば、有機ＥＬ表示パネルは、訓練用画像の変更が簡単かつ確実に行うことができるとともに、自ら発光するので照明光が不要となり、さらに、小形軽量化が可能となる。
【発明の効果】
【００１８】  以上の説明から明らかなように、本発明によれば訓練者が、訓練時に眼の結像調節を簡単に行うことができる視力回復訓練装置を提供することができる。
【図面の簡単な説明】
【００１９】
【図１】本発明の実施の形態の視力回復訓練装置の概略構成を示す図
【図２】本発明の実施の形態の視力回復訓練装置の動作を制御する制御装置の概略機能ブロック図
【図３】本発明の実施の形態の視力回復訓練装置によって表示される訓練用画像の一例を示す図
【符号の説明】
【００２０】  １・・・表示部材
２・・・光学系
２１・・・レンズ
２２・・・送りねじ
２３・・・モータ
３・・・基台
４・・・筐体
４１・・・窓部
５・・・訓練者
５１・・・視軸
６１・・・主制御部
６２・・・レンズ移動制御部
６３・・・表示制御部
６４・・・操作部
【発明を実施するための最良の形態】
【００２１】  以下、本発明の実施の形態について、図面を用いて説明する。【００２２】  図１に、本発明の実施の形態の視力回復訓練装置の概略構成を示す。図１の視力回復訓練装置は、表示部材１、光学系２、基台３、筐体４を含んで構成される。【００２３】  表示部材１は、訓練用画像の表示を行うものであり、訓練者５の視軸５１に対して略垂直に交差するように基台３に固定される。表示部材１は、例えば、背面にバックライトを備える液晶表示パネルであり、後述する表示制御装置からの制御信号に基づき、所定の形状及び大きさの訓練用画像を表示する。【００２４】  なお、表示部材１としては、液晶表示パネルに限らず、ＣＲＴディスプレイ装置、基板上に有機ＥＬ素子を形成した有機ＥＬ表示パネル等各種表示デバイスが利用可能である。
有機ＥＬ表示パネルは、自ら発光するので照明光が不要となり、小形軽量化をはかることができる。【００２５】  光学系２は、訓練者５の目位置と表示部材１の間に配置され、レンズ２１、送りねじ２２、モータ２３を含んで構成される。モータ２３を駆動することにより、送りねじ２２を介してレンズ２１が視軸５１方向に移動する。したがって、光学系２の光学特性が変更され、訓練者５の目位置と表示部材１の光学距離を変更することができる。モータ２３は、後述するレンズ移動制御部からの制御信号に基づいて駆動される。【００２６】  基台３は、筐体４内部に配置され、表示部材１及び光学系２を支持する。筐体４は、窓部４１を除いて板状表示部材１全体を覆って外光が入らない様になっており、訓練者５は窓部４１から内部を覗けるようになっている。【００２７】  図２に、視力回復訓練装置の動作を制御する制御装置の概略機能ブロック図を示す。制御装置は、主制御部６１、レンズ移動制御部６２、表示制御部６３、操作部６４を含んで構成される。【００２８】  主制御部６１は、視力回復訓練装置全体の動作を制御するもので、操作部６４の指示に基づき、レンズ移動制御部６２、及び表示制御部６３を制御する。レンズ移動制御部６２は、モータ２３に対する駆動信号を出力してレンズ２１の移動を制御するものである。その際、操作部６４の設定に応じた情報を主制御部から取得し、レンズ２１の移動範囲及び移動速度を制御する。レンズ２１の移動は、連続的に行ってもよいし、間欠的に行ってもよい。間欠的に行う場合、訓練用画像は所定時間移動しないことになる。【００２９】  表示制御部６３は、表示部材１を駆動し、所定の形状及び大きさの訓練用画像を表示させるものである。表示制御部６３は、訓練者の目位置と表示部材１との間の光学距離に比例した大きさの訓練用画像を表示する。訓練者の目位置と表示部材１との間の光学距離に関する情報は、主制御部６１から取得する。訓練者の目位置と表示部材１との間の光学距離に比例した大きさの訓練用画像を表示するためのデータは、その都度演算してもよいし、予め記憶したものを読み出して、表示部材１に送ってもよい。【００３０】  操作部６４は、訓練者５が操作して、視力回復訓練装置の動作態様等を設定するものであり、例えば、レンズ２１の移動範囲及び移動速度の設定、訓練用画像の種類の設定等を行う。【００３１】  図１に示す視力回復訓練装置を用いて視力回復訓練を行う場合、訓練者５は、筐体４の窓部４１から内部を覗き、表示部材１に表示される訓練用画像を注視する。訓練用画像までの光学距離は、レンズ２１の移動に応じて変化するため、訓練者５は、光学距離が変化する訓練用画像を見ることになる。したがって、光学距離の変化に対応して、目の焦点を合わせるべく努力することにより、毛様体筋等の目の結像調節機能を稼動することになり、結像調節機能の向上が期待できる。【００３２】  訓練者５の目の位置と、訓練者５に最も近い位置に表示された訓練用画像との光学距離は、正常視力者の近点距離程度の距離とするのが好ましい。また、訓練者５の目の位置と、訓練者５に最も遠い位置に表示された訓練用画像との光学距離は、正常視力者の遠点距離程度の距離とするのが好ましい��【００３３】  図３に、レンズ２１を移動させたときに表示部材１に表示される訓練用画像の一例を示す。図３（ａ）は訓練者５に最も近い位置に表示される訓練用画像であり、図３（ｃ）は訓練者５に最も遠い位置に表示される訓練用画像であり、図３（ｂ）はそれらの中間位置に表示される訓練用画像である。このように、訓練者５の目位置からの光学距離に比例した大きさで、互いに相似の形状とすると、訓練者からみえる訓練用画像の大きさ及び形状が実質的に変化しないので、目の結像調節機能の制御が簡単になる。【００３４】  図３の例では、板状表示部材１に表示させる訓練用画像の形状を、互いに相似形状としたが、異なる形状としてもよい。この場合でも、訓練者の視野に占める訓練用画像の大きさが実質的に変化しないので、目の結像調節機能の制御が簡単になる。また、表示される画像が変化するので、訓練者が飽きずに訓練を行うことができる。【００３５】  また、図１の視力回復訓練装置は、光学特性の変更が可能な光学系２として、モータ２３及び送りねじ２２を介して移動可能なレンズ２１を用いたが、光学系２としてバリフォーカルレンズを利用し、その倍率を変化させて訓練用画像と訓練者の目の位置を変化させるようにしてもよい。【００３６】  本発明を詳細にまた特定の実施態様を参照して説明したが、本発明の精神と範囲を逸脱することなく様々な変更や修正を加えることができることは当業者にとって明らかである。
本出願は、２００４年７月１４日出願の日本特許出願（特願２００４−２０７０７６）に基づくものであり、その内容はここに参照として取り込まれる。
【産業上の利用可能性】
【００３７】  本発明の視力回復訓練装置は、訓練者の目位置からの距離に比例した大きさの訓練用画像を表示しており、訓練者が、訓練時に眼の結像調節を簡単に行うことができる視力回復訓練装置等として有用である。
【図１】
2006006563.tif 000002
【図２】
2006006563.tif 000003
【図３】
2006006563.tif 000004
【手続補正書】
【提出日】平成18年6月23日(2006.6.23)
【手続補正１】
【補正対象書類名】特許請求の範囲
【補正対象項目名】全文
【補正方法】変更
【補正の内容】
【特許請求の範囲】
【請求項１】
目の結像調節機能の訓練を行う視力回復訓練装置であって、
訓練者の視線方向に対して略垂直に交差して固定配置される表示部材と、
前記訓練者の目位置と前記表示部材の間に配置される光学系と、
前記板状表示部材への訓練用画像の表示を制御する表示制御部と、
前記光学系の光学特性を変更し、前記訓練者の目位置と前記表示部材との間の光学距離を変化させる光学特性変更部と、を備え、
前記表示制御部は、前記訓練者の目位置と前記表示部材との間の光学距離に比例した大きさの前記訓練用画像を、前記表示部材に表示させる視力回復訓練装置。
【請求項２】
請求項１記載の視力回復訓練装置であって、
前記表示制御部は、前記訓練者の目位置と前記表示部材との間の光学距離に比例した大きさで、互いに相似の前記訓練用画像を、前記表示部材に表示させる視力回復訓練装置。
【請求項３】
請求項１又は２記載の視力回復訓練装置であって、
前記光学系は、レンズを含んでおり、
前記光学特性変更部は、前記レンズ位置を移動させる駆動手段を含む視力回復訓練装置。
【請求項４】
請求項１又は２記載の視力回復訓練装置であって、
前記光学系は、バリフォーカルレンズである視力回復訓練装置。
【請求項５】
請求項１ないし４のいずれか１項記載の視力回復訓練装置であって、
前記板状表示部材は、液晶表示パネルである視力回復訓練装置。
【請求項６】
請求項１ないし４のいずれか１項記載の視力回復訓練装置であって、
前記板状表示部材は、基板上に有機ＥＬ素子を形成した有機ＥＬ表示パネルである視力回復訓練装置。
【手続補正２】
【補正対象書類名】明細書
【補正対象項目名】全文
【補正方法】変更
【補正の内容】
【発明の詳細な説明】
【技術分野】
【０００１】
本発明は、目の結像調節機能の訓練を行う視力回復訓練装置に関する。
【背景技術】
【０００２】
視力の低下は、目の調節筋（毛様体筋）の調節緊張や衰弱によって目の結像調節機能が低下することが一因と考えられ、この筋肉を訓練することによって、視力の回復が期待できる。この方法は、毛様体筋を訓練によって活性化し、遠近調節機能を活発にすることで視力回復をはかるものである。
【０００３】
特許文献１には、この調節筋の働きを活発にすることにより視力回復効果を向上させようとする視力回復装置が記載されている。この視力回復装置は、マークが表示された注視板を往復移動させて、マークを使用者に対して近接・離間させるものである。この装置の使用者がこのマークを注視すると、目の焦点が、近距離と遠距離の間を連続して移動するので調節筋が効率よく訓練される。
【０００４】
この視力回復装置は、使用者とマークの距離を変化させるため、マークが表示された注視板を移動させるものであるため、機構が複雑で大規模となる。また、可動部を有するため、耐久性及び保守性に欠ける。
【０００５】
また、注視板に表示されるマークの大きさが一定であるため、使用者がマークに焦点を合わせ難くなる場合がある。すなわち、使用者とマークとの距離が近くなると、マークの像が使用者の網膜に形成される領域が大きくなり、脳に入力する情報量が増加して、使用者が目の結像調節を簡単に行えなくなる。
【０００６】
一方、光学系を利用して訓練者と訓練者が注視する指標との距離を変化させ、小型化を可能としたものも提案されている（特許文献２参照）。
【０００７】
特許文献２に記載された視力回復訓練装置は、訓練者と指標が表示される表示パネルとの間に配置される光学系の特性を変化させることにより、訓練者の目の位置と指標との光学距離を変化させるものである。そして、この装置では、訓練者が受ける遠近感を強調するために、光学距離が近い時は、指標の表示をさらに大きくし、遠い時は指標の表示をさらに小さくすることも可能となっている。
【０００８】
しかし、指標の遠近感を強調する場合、近視の訓練者は遠い表示の時は焦点があわなくても違和感がなく、遠視の訓練者は近い表示の際に焦点があわなくても違和感がなくなってしまい、指標に焦点を合わせようとしなくなるため、訓練の効果があがらない。また、指標の大きさを一定した場合は、特許文献１に記載されたものと同様、使用者と指標との距離が近くなると、指標の像が使用者の網膜に形成される領域が大きくなり、脳に入力する情報量が増加して、使用者が目の結像調節を簡単に行えなくなる。
【０００９】
【特許文献１】特開平６−３３９５０１号公報
【特許文献２】特開平８−２５７０７７号公報
【発明の開示】
【発明が解決しようとする課題】
【００１０】
本発明は、上記事情に鑑みなされたもので、訓練者が、訓練時に眼の結像調節を簡単に行うことができる視力回復訓練装置を提供することを目的とするものである。
【課題を解決するための手段】
【００１１】
本発明の視力回復訓練装置は、目の結像調節機能の訓練を行うものであって、訓練者の視線方向に対して略垂直に交差して固定配置される表示部材と、前記訓練者の目位置と前記表示部材の間に配置される光学系と、前記板状表示部材への訓練用画像の表示を制御する表示制御部と、前記光学系の光学特性を変更し、前記訓練者の目位置と前記表示部材との間の光学距離を変化させる光学特性変更部と、を備え、前記表示制御部は、前記訓練者の目位置と前記表示部材との間の光学距離に比例した大きさの前記訓練用画像を、前記表示部材に表示させるものである。
【００１２】
本発明によれば、訓練者の視野に占める訓練用画像の大きさが実質的に変化しないので、目の結像調節機能の制御が簡単になる。
【００１３】
本発明の視力回復訓練装置は、前記表示制御部が、前記訓練者の目位置と前記表示部材との間の光学距離に比例した大きさで、互いに相似の前記訓練用画像を、前記表示部材に表示させるものを含む。本発明によれば、訓練者からみえる訓練用画像の大きさ及び形状が実質的に変化しないので、目の結像調節機能の制御が簡単になる。
【００１４】
本発明の視力回復訓練装置は、前記光学系が、レンズを含んでおり、前記光学特性変更部が、前記レンズ位置を移動させる駆動手段を含むものを含む。本発明によれば、可動部の移動量が小さくても訓練者の目位置と表示部材との間の光学距離を大きく変化させることができ、小形軽量化が可能となる。
【００１５】
本発明の視力回復訓練装置は、前記光学系が、バリフォーカルレンズであるものを含む。本発明によれば、レンズ系の駆動を簡単に行うことができ、さらに、小形軽量化が可能となる。
【００１６】
本発明の視力回復訓練装置は、前記板状表示部材が、液晶表示パネルであるものを含む。本発明によれば、訓練用画像の変更が簡単かつ確実に行うことができるとともに、小形軽量化が可能となる。
【００１７】
本発明の視力回復訓練装置は、前記板状表示部材が、基板上に有機ＥＬ素子を形成した有機ＥＬ表示パネルであるものを含む。本発明によれば、有機ＥＬ表示パネルは、訓練用画像の変更が簡単かつ確実に行うことができるとともに、自ら発光するので照明光が不要となり、さらに、小形軽量化が可能となる。
【発明の効果】
【００１８】
以上の説明から明らかなように、本発明によれば訓練者が、訓練時に眼の結像調節を簡単に行うことができる視力回復訓練装置を提供することができる。
【発明を実施するための最良の形態】
【００１９】
以下、本発明の実施の形態について、図面を用いて説明する。
【００２０】
図１に、本発明の実施の形態の視力回復訓練装置の概略構成を示す。図１の視力回復訓練装置は、表示部材１、光学系２、基台３、筐体４を含んで構成される。
【００２１】
表示部材１は、訓練用画像の表示を行うものであり、訓練者５の視軸５１に対して略垂直に交差するように基台３に固定される。表示部材１は、例えば、背面にバックライトを備える液晶表示パネルであり、後述する表示制御装置からの制御信号に基づき、所定の形状及び大きさの訓練用画像を表示する。
【００２２】
なお、表示部材１としては、液晶表示パネルに限らず、ＣＲＴディスプレイ装置、基板上に有機ＥＬ素子を形成した有機ＥＬ表示パネル等各種表示デバイスが利用可能である。
有機ＥＬ表示パネルは、自ら発光するので照明光が不要となり、小形軽量化をはかることができる。
【００２３】
光学系２は、訓練者５の目位置と表示部材１の間に配置され、レンズ２１、送りねじ２２、モータ２３を含んで構成される。モータ２３を駆動することにより、送りねじ２２を介してレンズ２１が視軸５１方向に移動する。したがって、光学系２の光学特性が変更され、訓練者５の目位置と表示部材１の光学距離を変更することができる。モータ２３は、後述するレンズ移動制御部からの制御信号に基づいて駆動される。
【００２４】
基台３は、筐体４内部に配置され、表示部材１及び光学系２を支持する。筐体４は、窓部４１を除いて板状表示部材１全体を覆って外光が入らない様になっており、訓練者５は窓部４１から内部を覗けるようになっている。
【００２５】
図２に、視力回復訓練装置の動作を制御する制御装置の概略機能ブロック図を示す。制御装置は、主制御部６１、レンズ移動制御部６２、表示制御部６３、操作部６４を含んで構成される。
【００２６】
主制御部６１は、視力回復訓練装置全体の動作を制御するもので、操作部６４の指示に基づき、レンズ移動制御部６２、及び表示制御部６３を制御する。レンズ移動制御部６２は、モータ２３に対する駆動信号を出力してレンズ２１の移動を制御するものである。その際、操作部６４の設定に応じた情報を主制御部から取得し、レンズ２１の移動範囲及び移動速度を制御する。レンズ２１の移動は、連続的に行ってもよいし、間欠的に行ってもよい。間欠的に行う場合、訓練用画像は所定時間移動しないことになる。
【００２７】
表示制御部６３は、表示部材１を駆動し、所定の形状及び大きさの訓練用画像を表示させるものである。表示制御部６３は、訓練者の目位置と表示部材１との間の光学距離に比例した大きさの訓練用画像を表示する。訓練者の目位置と表示部材１との間の光学距離に関する情報は、主制御部６１から取得する。訓練者の目位置と表示部材１との間の光学距離に比例した大きさの訓練用画像を表示するためのデータは、その都度演算してもよいし、予め記憶したものを読み出して、表示部材１に送ってもよい。
【００２８】
操作部６４は、訓練者５が操作して、視力回復訓練装置の動作態様等を設定するものであり、例えば、レンズ２１の移動範囲及び移動速度の設定、訓練用画像の種類の設定等を行う。
【００２９】
図１に示す視力回復訓練装置を用いて視力回復訓練を行う場合、訓練者５は、筐体４の窓部４１から内部を覗き、表示部材１に表示される訓練用画像を注視する。訓練用画像までの光学距離は、レンズ２１の移動に応じて変化するため、訓練者５は、光学距離が変化する訓練用画像を見ることになる。したがって、光学距離の変化に対応して、目の焦点を合わせるべく努力することにより、毛様体筋等の目の結像調節機能を稼動することになり、結像調節機能の向上が期待できる。
【００３０】
訓練者５の目の位置と、訓練者５に最も近い位置に表示された訓練用画像との光学距離は、正常視力者の近点距離程度の距離とするのが好ましい。また、訓練者５の目の位置と、訓練者５に最も遠い位置に表示された訓練用画像との光学距離は、正常視力者の遠点距離程度の距離とするのが好ましい。
【００３１】
図３に、レンズ２１を移動させたときに表示部材１に表示される訓練用画像の一例を示す。図３（ａ）は訓練者５に最も近い位置に表示される訓練用画像であり、図３（ｃ）は訓練者５に最も遠い位置に表示される訓練用画像であり、図３（ｂ）はそれらの中間位置に表示される訓練用画像である。このように、訓練者５の目位置からの光学距離に比例した大きさで、互いに相似の形状とすると、訓練者からみえる訓練用画像の大きさ及び形状が実質的に変化しないので、目の結像調節機能の制御が簡単になる。
【００３２】
図３の例では、板状表示部材１に表示させる訓練用画像の形状を、互いに相似形状としたが、異なる形状としてもよい。この場合でも、訓練者の視野に占める訓練用画像の大きさが実質的に変化しないので、目の結像調節機能の制御が簡単になる。また、表示される画像が変化するので、訓練者が飽きずに訓練を行うことができる。
【００３３】
また、図１の視力回復訓練装置は、光学特性の変更が可能な光学系２として、モータ２３及び送りねじ２２を介して移動可能なレンズ２１を用いたが、光学系２としてバリフォーカルレンズを利用し、その倍率を変化させて訓練用画像と訓練者の目の位置を変化させるようにしてもよい。
【００３４】
本発明を詳細にまた特定の実施態様を参照して説明したが、本発明の精神と範囲を逸脱することなく様々な変更や修正を加えることができることは当業者にとって明らかである。
本出願は、2004年7月14日出願の日本特許出願（特願2004−207076）に基づくものであり、その内容はここに参照として取り込まれる。
【産業上の利用可能性】
【００３５】
本発明の視力回復訓練装置は、訓練者の目位置からの距離に比例した大きさの訓練用画像を表示しており、訓練者が、訓練時に眼の結像調節を簡単に行うことができる視力回復訓練装置等として有用である。
【図面の簡単な説明】
【００３６】
【図１】本発明の実施の形態の視力回復訓練装置の概略構成を示す図
【図２】本発明の実施の形態の視力回復訓練装置の動作を制御する制御装置の概略機能ブロック図
【図３】本発明の実施の形態の視力回復訓練装置によって表示される訓練用画像の一例を示す図
【符号の説明】
【００３７】
１・・・表示部材
２・・・光学系
２１・・・レンズ
２２・・・送りねじ
２３・・・モータ
３・・・基台
４・・・筐体
４１・・・窓部
５・・・訓練者
５１・・・視軸
６１・・・主制御部
６２・・・レンズ移動制御部
６３・・・表示制御部
６４・・・操作部
【手続補正３】
【補正対象書類名】図面
【補正対象項目名】全図
【補正方法】変更
【補正の内容】
【図１】
2006006563.tif 000005
【図２】
2006006563.tif 000006
【図３】
2006006563.tif 000007
【国際調査報告】
2006006563.tif 000008
2006006563.tif 000009